(57)【要約】      （修正有）【課題】災害時の避難場所において、大きな場所を取ることなくプライバシーの保護を図る上で有利な災害時用簡易ベッドを提供する。【解決手段】複数のパイプ材が着脱可能に結合されることで構成されたフレーム１２と、横たわり用シート１４と、目隠し用シート１６Ａ〜１６Ｇとを備える。フレーム１２は、床面から所定の高さに横たわり面Ｐを形成するためのフレーム本体１８と、フレーム本体に着脱可能に結合されフレーム本体の上方に位置する目隠し用フレーム２０とを含んで構成されている。横たわり用シート１４がフレーム本体１８に着脱可能に掛装されることで横たわり面Ｐが形成される。目隠し用シート１６Ａ〜１６Ｇが目隠し用フレーム２０に着脱可能に掛装されることで、横たわり面Ｐの周囲および上方を覆う目隠しが形成される。【選択図】図１
0003206852.tif 000002
【実用新案登録請求の範囲】
【請求項１】
複数のパイプ材が着脱可能に結合されることで構成されたフレームと、横たわり用シートと、目隠し用シートとを備え、
前記フレームは、床面から所定の高さを有するフレーム本体と、前記フレーム本体に着脱可能に結合され前記フレーム本体の上方に設けられた目隠し用フレームとを含んで構成され、
前記横たわり用シートが前記フレーム本体の上部に着脱可能に掛装されることで横たわり面が形成され、
前記目隠し用シートが前記目隠し用フレームに着脱可能に掛装されることで、前記横たわり面の周囲および上方を覆う目隠しが形成される、
ことを特徴とする災害時用簡易ベッド。
【請求項２】
前記フレーム本体は、複数のパイプ材により床面の上方で支持された長方形枠状の第１上枠を備え、
前記横たわり用シートは前記第１上枠に着脱可能に掛装されている、
ことを特徴とする請求項１記載の災害時用簡易ベッド。
【請求項３】
前記目隠し用フレームは、複数のパイプ材により前記第１上枠の上方で支持された長方形枠状の第２上枠を備え、
前記目隠し用シートは前記第２上枠に着脱可能に掛装されている、
ことを特徴とする請求項２記載の災害時用簡易ベッド。
【請求項４】
前記第１上枠と前記第２上枠とは、平面視した場合に同一の輪郭で形成されている、
ことを特徴とする請求項３記載の災害時用簡易ベッド。
【請求項５】
前記目隠し用シートは、前記第２上枠に架け渡され前記横たわり面の上方を覆う天井シートと、前記第２上枠の一対の長辺と一対の短辺からそれぞれ下方に垂れ下げられ前記天井シートの下方で前記横たわり面の周囲を覆う側面シートとを含んで構成されている、
ことを特徴とする請求項３または４記載の災害時用簡易ベッド。
【請求項６】
前記フレームは複数のパイプ材がパイプ継手を介して着脱可能に結合されて構成され、
長方形状をなす前記第２上枠の少なくとも４つの角部に位置する前記パイプ継手は、パイプ材の結合に使用されていない上方の突出するパイプ部を有し、
前記天井シートの少なくとも４箇所に前記パイプ部がそれぞれ挿通されるハトメが設けられ、
前記天井シートは、前記各ハトメに前記パイプ部がそれぞれ挿通されることで前記第２上枠に架け渡されている、
ことを特徴とする請求項５記載の災害時用簡易ベッド。
【請求項７】
前記横たわり面の幅、長さは、それぞれ１００ｃｍ、２００ｃｍであり、
前記横たわり面の床からの高さは、３０ｃｍであり、
前記天井シートの前記横たわり面からの高さは、１７０ｃｍである、
ことを特徴とする請求項５または６記載の災害時用簡易ベッド。
【請求項８】
前記フレーム本体は、前記床面上で平面視長方形の各頂点に上下方向に延在して配置される４本の下部支柱と、前記長方形の一対の長辺と一対の短辺に沿って延在し前記４本の下部支柱の上部に着脱可能に連結される２本の長辺用下部横管および２本の短辺用下部横管と、前記２本の長辺用下部横管の中央部間の下方に配置され前記床面上で前記２本の長辺用下部横管の中央部を支持する下部中間フレームとを含んで構成され、
前記下部支柱および短辺用下部横管は、それぞれ単一のパイプ材で構成され、
前記長辺用下部横管および前記下部中間フレームは、それぞれ複数のパイプ材が着脱可能に結合されて構成され、
前記第１上枠は、前記２本の長辺用下部横管および前記２本の短辺用下部横管を含んで構成されている、
ことを特徴とする請求項２〜７の何れか１項記載の災害時用簡易ベッド。
【請求項９】
前記下部中間フレームは、前記長辺用下部横管の中央で前記短辺用下部横管に平行し床上を延在する底パイプ材と、前記底パイプ材の両端から起立し前記一対の長辺用下部横管の中央を支持する一対の縦パイプ材と、前記一対の縦パイプ材の上部と前記底パイプ材の中間部とをそれぞれ接続する一対の補強パイプ材とを含んで構成されている、
ことを特徴とする請求項８記載の災害時用簡易ベッド。
【請求項１０】
前記目隠し用フレームは、前記４本の下部支柱の上端に着脱可能に取着される４本の上部支柱と、両端が前記上部支柱の上部に着脱可能に結合され前記長方形の一対の長辺に沿ってそれぞれ延在する２本の長辺用上部横管と、両端が前記上部支柱の上端に着脱可能に結合され前記長方形の一対の短辺に沿ってそれぞれ延在する２本の短辺用上部横管とを含んで構成され、
前記短辺用上部横管は、それぞれ単一のパイプ材で構成され、
前記上部支柱および前記長辺用上部横管は、複数のパイプ材が着脱可能に結合されて構成され、
前記第２上枠は、前記２本の長辺用上部横管と前記２本の短辺用上部横管を含んで構成されている、
ことを特徴とする請求項８または９記載の災害時用簡易ベッド。
【考案の詳細な説明】
【技術分野】
【０００１】
本考案は、災害時用簡易ベッドに関する。
【背景技術】
【０００２】
例えば、津波、地震、火山の噴火、大雨による土砂崩れなどの災害時、余儀なく自宅から離れなければならない場合、多くの人は体育館や学校などの避難場所に避難する。
避難場所では、単一の空間に多くの人が収容され、飲料水や食べ物が支給されると共に、就寝用のための毛布が支給される。
このようなことから避難場所では、プライバシーを保護する空間を確保することができないのが現状である。
従来、簡易ベッドは種々提案されているものの、プライバシーの保護が図れるものは提案されておらず、災害時の避難場所に提供されていないのが現状である。
【先行技術文献】
【特許文献】
【０００３】
【特許文献１】特開２０１４−９１０４６号公報
【特許文献２】特開２０１３−２２１３１号公報
【考案の概要】
【考案が解決しようとする課題】
【０００４】
本考案は前記事情に鑑み案出されたものであって、本考案の目的は、災害時の避難場所において、大きな場所を取ることなくプライバシーの保護を図る上で有利な災害時用簡易ベッドを提供することにある。
【課題を解決するための手段】
【０００５】
上述した目的を達成するために、本考案の災害時用簡易ベッドは、複数のパイプ材が着脱可能に結合されることで構成されたフレームと、横たわり用シートと、目隠し用シートとを備え、前記フレームは、床面から所定の高さを有するフレーム本体と、前記フレーム本体に着脱可能に結合され前記フレーム本体の上方に設けられた目隠し用フレームとを含んで構成され、前記横たわり用シートが前記フレーム本体の上部に着脱可能に掛装されることで横たわり面が形成され、前記目隠し用シートが前記目隠し用フレームに着脱可能に掛装されることで、前記横たわり面の周囲および上方を覆う目隠しが形成されることを特徴とする。
【考案の効果】
【０００６】
本考案の災害時用簡易ベッドによれば、横たわり面上に横たわることができることは無論のこと、横たわり面の周囲および上方が目隠し用シートで覆われるので、避難所でのプライバシーの保護を図ることができる。
また、場所を取らないため、災害時用簡易ベッドは、限られたスペースに多数を設置することが可能となり、避難所で多くの人のプライバシーの保護を図ることができる。
また、フレームは複数のパイプ材から構成され、目隠し用シートは折り畳み可能であるため、災害時用簡易ベッドは軽量であり、組み立てや撤去も簡単になされる。
【図面の簡単な説明】
【０００７】
【図１】実施の形態の災害時用簡易ベッドの斜視図である。
【図２】フレーム本体の斜視図である。
【図３】フレーム本体に目隠し用フレームが結合されたフレームの斜視図である。
【図４】フレーム本体の第１上枠の斜視図である。
【図５】第１上枠に横たわり用シートを掛装した斜視図である。
【図６】横たわりシートの平面図である。
【図７】第１上枠に掛装された横たわり用シートの説明図である。
【図８】横たわりシートが掛装されたフレーム本体の斜視図である。
【図９】横たわり用シートが掛装されたフレーム本体に目隠し用フレームが結合された状態を示す斜視図である。
【図１０】目隠し用シートの端部の説明図である。
【図１１】（Ａ）〜（Ｅ）はパイプ継手の斜視図である。
【図１２】横たわり用シートが掛装されたフレーム本体に、別実施の形態の目隠し用フレームが結合されたフレームの斜視図である。
【図１３】図１２のフレームに目隠し用シートが掛装された状態の斜視図である。
【図１４】（Ａ）、（Ｂ）はそれぞれ災害時用簡易ベッドを分解しパーツを収納袋に収納した斜視図である。
【考案を実施するための形態】
【０００８】
以下、本考案の実施の形態を図示例と共に説明する。
図１に示すように、本実施の形態の災害時用簡易ベッド１０は、フレーム１２と、１枚の横たわり用シート１４と、７枚の目隠し用シート１６Ａ〜１６Ｇとを備えている。
フレーム１２は、図２、図３に示すように、複数のパイプ材が着脱可能に結合されることで構成されている。
フレーム１２は、床面から所定の高さに横たわり面Ｐを形成するためのフレーム本体１８（図２）と、フレーム本体１８に着脱可能に結合されフレーム本体１８の上方に設けられる目隠し用フレーム２０（図３）とを含んで構成されている。
【０００９】
図２に示すように、フレーム本体１８は、４本の下部支柱２２と、２本の長辺用下部横管２４と、２本の短辺用下部横管２６と、下部中間フレーム２８とを含んで構成されている。
４本の下部支柱２２は、平面視長方形の各頂点に位置した箇所で上下方向に延在して配置される。
２本の長辺用下部横管２４は、床面から所定の高さで長方形の一対の長辺に沿って延在して配置される。各長辺用下部横管２４は、長さの等しい２本のパイプ材３０Ａがパイプ継手Ｊ１（図１１（Ａ））を介して連結され、パイプ継手Ｊ１は下部中間フレーム２８で支持されている。
２本の短辺用下部横管２６は、床面から所定の高さで長方形の一対の短辺に沿って延在して配置される。
２本の長辺用下部横管２４の両端と、２本の短辺用下部横管２６の両端は、パイプ継手Ｊ２（図１１（Ｂ））を介して下部支柱２２の上部に着脱可能に連結される。
２本の長辺用下部横管２４と２本の短辺用下部横管２６とにより床面の上方で支持された長方形枠状の第１上枠１８Ａが構成される。
【００１０】
下部中間フレーム２８は、２本の長辺用下部横管２４の中央部間の下方に配置され、床面上で２本の長辺用下部横管２４の中央部をパイプ継手Ｊ１（図１１（Ａ））を介して支持している。
下部中間フレーム２８は、長辺用下部横管２４の中央で短辺用下部横管２６に平行し床上を延在する底パイプ材３０Ｂと、底パイプ材３０Ｂの両端から起立し一対の長辺用下部横管２４の中央を支持する一対の縦パイプ材３０Ｃと、一対の縦パイプ材３０Ｃの上部と底パイプ材３０Ｂの中間部とをそれぞれ接続する一対の補強パイプ材３０Ｄとを含んで構成されている。
底パイプ材３０Ｂと一対の縦パイプ材３０Ｃとの結合は、パイプ継手Ｊ３（図１１（Ｃ））を介してなされ、補強パイプ材３０Ｄの一端と底パイプ材３０Ｂとの結合は、パイプ継手Ｊ４（図１１（Ｄ））を介してなされ、補強パイプ材３０Ｄの他端と縦パイプ材３０Ｃとの結合は、パイプ継手Ｊ４（図１１（Ｄ））を介してなされている。
【００１１】
図３に示すように、目隠し用フレーム２０は、４本の上部支柱３２と、２本の長辺用上部横管３４と、２本の短辺用上部横管３６とを含んで構成されている。
４本の上部支柱３２は、４本の下部支柱２２の上端にパイプ継手Ｊ２を介して着脱可能に結合され、４本の下部支柱２２と同一直線上で４本の下部支柱２２の上方に延在している。
各上部支柱３２は、２本のパイプ材３０Ｅがパイプ継手Ｊ５を介して着脱可能に結合されている。
２本の長辺用上部横管３４は、両端が上部支柱３２の上部にパイプ継手Ｊ２を介して着脱可能に結合され、長方形の一対の長辺に沿ってそれぞれ延在している。
２本の短辺用上部横管３６は、両端が上部支柱３２の上部にパイプ継手Ｊ２を介して着脱可能に結合され、長方形の一対の短辺に沿ってそれぞれ延在している。
長辺用上部横管３４は、長さの等しい２本のパイプ材３０Ｆがパイプ継手Ｊ５を介して連結されている。
【００１２】
２本の長辺用上部横管３４と２本の短辺用上部横管３６とにより第１上枠１８Ａの上方で支持された長方形枠状の第２上枠２０Ａが構成される。
第１上枠１８Ａと第２上枠２０Ａは平面視した場合に同一の輪郭で構成され、災害時用簡易ベッド１０のコンパクト化が図られ、狭いスペースに多数の災害時用簡易ベッド１０を設置できるように図られている。
なお、パイプ材３０Ａ〜３０Ｆとして従来公知の軽量な金属材料や合成樹脂材料が使用可能であり、また、パイプ継手Ｊ１〜Ｊ５として、従来公知の軽量な金属材料や合成樹脂材料が使用可能であり、パイプ材３０Ａ〜３０Ｆとパイプ継手Ｊ１〜Ｊ５は共に従来公知の様々な市販品が使用可能である。
【００１３】
図８に示すように、横たわり用シート１４は、フレーム本体１８の第１上枠１８Ａに着脱可能に掛装されることで横たわり用シート１４により横たわり面Ｐが形成される。
詳細に説明すると、横たわり用シート１４は、図６に示すように、長方形に対応した形状の上面部１４０２と、上面部１４０２の一対の長辺から突設された一対の長辺用突出片１４０４と、上面部１４０２の一対の短辺から突設された一対の短辺用突出片１４０６とを備えている。
長辺用突出片１４０４の長手方向の中央には、長辺用突出片１４０４を長辺用下部横管２４に掛装できるように、下部中間フレーム２８のパイプ継手Ｊ５を逃がすための欠部１４０８が形成されている。
また、短辺用突出片１４０６の長手方向の中間部の２箇所と、長辺用突出片１４０４の長手方向に間隔をおいた複数箇所に、ロープ挿通用のハトメ１４１０が取着されている。
【００１４】
本実施の形態では、横たわり用シート１４をフレーム本体１８に掛装する場合、図４、図５に示すように、第１上枠１８Ａが組み上がった段階で、第１上枠１８Ａに横たわり用シート１４を掛装し、その後、図８に示すように、第１上枠１８Ａに４本の下部支柱２２と下部中間フレーム２８とを組み付けてフレーム本体１８を形成する。
横たわり用シート１４を第１上枠１８Ａに掛装するにあたって、まず、上面部１４０２の一対の長辺用突出片１４０４の想像線Ｌ１で示す基部と一対の短辺用突出片１４０６の想像線Ｌ２で示す基部とを、２本の長辺用下部横管２４と２本の短辺用下部横管２６とに合わせ、短辺用突出片１４０６を短辺用下部横管２６で折り返して上面部１４０２の下方に位置させ、次に、長辺用突出片１４０４を長辺用下部横管２４で折り返して上面部１４０２の下方に位置させる。
【００１５】
そして、ロープ３８を、上面部１４０２の一対の短辺の下方では、長辺用突出片１４０４のハトメ１４１０から短辺用突出片１４０６のハトメ１４１０を通し、また、上面部１４０２の一対の長辺の下方では、長辺用突出片１４０４の複数のハトメ１４１０を通し、テンション調整機能付きフック４０によりロープ３８を張設する。詳細には、図７に示すように、ロープ３８の一端はテンション調整機能付きフック４０に取着され、フック４０に対向するロープ３８の箇所に輪３８０２を作り、この輪３８０２にフック４０を掛止し、テンション機能によりロープ３８を弛みなく張設する。なお、テンション調整機能付きフック４０には市販品が使用可能である。
これにより横たわり用シート１４の上面部１４０２により横たわり面Ｐが形成される。
本実施の形態では、横たわり用シート１４を第１上枠１８Ａに掛装した際に、上面部１４０２の幅方向の中央部において一対の長辺用突出片１４０４が対向しており、横たわり用シート１４をフレーム本体１８にバランス良く掛装できるように図られている。
【００１６】
なお、横たわり用シート１４の形状は種々考えられ、例えば、上面部１４０２の一対の短辺に、短辺用上部横管３６が挿通されるスリーブを予め設けておいてもよく、あるいは、上面部１４０２の一対の長辺と短辺に、長辺用上部横管３４、短辺用上部横管３６がそれぞれ挿通されるスリーブを予め設けておいてもよい。
また、横たわり用シート１４は、フレーム本体１８を組み立てた後、第１上枠１８Ａに掛装するようにしてもよく、あるいは、フレーム１２全体を組み立てた後、第１上枠１８Ａに掛装するようにしてもよく、横たわり用シート１４を掛装するパイプ材の組み立て状態に応じて横たわり用シート１４の形状は適宜変更される。
【００１７】
図８に示すように、フレーム本体１８を組み立てたならば、次に、図９に示すように、フレーム本体１８に目隠し用フレーム２０を組み付ける。
次に、図１に示すように、目隠し用シート１６Ａ〜１６Ｇを目隠し用フレーム２０に着脱可能に掛装し、横たわり面Ｐの周囲および上方を覆う目隠しを形成する。
目隠し用シート１６Ａ〜１６Ｇとして、半透明や不透明な従来公知の様々な材料、例えば、布や合成樹脂製のシートが採用可能である。
７枚の目隠し用シート１６Ａ〜１６Ｇのうち、４枚は２本の長辺用上部横管３４に掛装される側面用目隠しシート１６Ａ、１６Ｂ、１６Ｃ、１６Ｄであり、２枚は２本の短辺用上部横管３６に掛装される側面用目隠しシート１６Ｅ、１６Ｆであり、１枚は、横たわり面Ｐの上方に配置される天井シート１６Ｇである。
【００１８】
詳細には、４枚の側面用目隠しシート１６Ａ、１６Ｂ、１６Ｃ、１６Ｄは、２枚ずつ長辺用上部横管３４にクリップ４２を介して掛装される。２枚の側面用目隠しシート１６Ａ、１６Ｂ、および、２枚の側面用目隠しシート１６Ｃ、１６Ｄの互いに離れた箇所は、上部支柱３２にクリップ４２により結合される。そして、２枚の側面用目隠しシート１６Ｅ、１６Ｆの間は出入り用として綴じないでおくと、災害時用簡易ベッド１０への出入りを簡単に行なう上で有利となる。
また、２枚の側面用目隠しシート１６Ｅ、１６Ｆは、それぞれ短辺用上部横管３６にクリップ４２を介して掛装される。そして、各側面用目隠しシート１６Ｅ、１６Ｆの両側は、上部支柱３２にクリップ４２により結合される。
【００１９】
天井シート１６Ｇは、２本の長辺用上部横管３４と２本の短辺用上部横管３６とに架け渡され、クリップ４２によりそれら横管３４，３６に結合される。
なお、天井シート１６Ｇを先に目隠し用フレーム２０に掛装し、その後、側面用目隠しシート１６Ａ〜１６Ｆを目隠し用フレーム２０に掛装に掛装するなど任意である。
また、図１０（Ａ）に示すように、側面用目隠しシート１６Ａ〜１６Ｄの端部と側面用目隠しシート１６Ｅ、１６Ｆの端部とが交わる角部や、図１０（Ｂ）に示すように、側面用目隠しシート１６Ａ、１６Ｃの端部と側面用目隠しシート１６Ｂ、１６Ｄの端部とが近接する箇所では、面ファスナＦを用いてそれらシートを強制的に重ね合わせ、隙間をなくすようにするなど任意である。
【００２０】
次に、図１２、図１３を参照して別の実施の形態について説明する。
この別実施例では、目隠し用フレーム２０と天井シート１６Ｇとが前記実施の形態と異なっている。
すなわち、目隠し用フレーム２０の第２上枠２０Ａの長辺用上部横管３４を構成する２本のパイプ材３０Ｆを連結する継手としてパイプ継手Ｊ６を使用しており、これにより、第２上枠２０Ａの各角部および長辺用上部横管３４の中央部に、パイプ継手Ｊ２、Ｊ６のパイプ部Ｊ１０が上方に突出した状態となり、それらパイプ部Ｊ１０はパイプ材の結合に使用されない。
【００２１】
また、天井シート１６Ｇは、目隠し用フレーム２０のパイプ部Ｊ１０が挿通されるハトメ１６１０が設けられ横たわり用シート１４に対向する上面部１６０２と、上面部１６０２の一対の長辺からそれぞれ下方に垂れ下がる一対の長辺用突出片１６０４と、上面部１６０２の一対の短辺からそれぞれ下方に垂れ下がる一対の短辺用突出片１６０６とを備えている。
したがって、上面部１６０２のハトメ１６１０に第２上枠２０Ａのパイプ部Ｊ１０を挿通することで、目隠し用フレーム２０への天井シート１６Ｇの掛装を簡単に確実に行なえるように図られている。なお、パイプ部Ｊ１０は、少なくとも第２上枠２０Ａの４つの角部に設けられていれば、目隠し用フレーム２０への天井シート１６Ｇの掛装を簡単に確実に行なえる上で有利となるが、実施の形態のように６箇所にするとより有利となる。
この場合、側面用目隠しシート１６Ａ〜１６Ｆの上縁に、上縁の長手方向に間隔をおいて複数のリングを設けておき、それらリングに長辺用上部横管３４を通し、側面用目隠しシート１６Ａ〜１６Ｆをスライド可能に配置するなど任意である。
【００２２】
なお、横たわり面Ｐの幅は、寝返りできることなどを考慮すると、９０〜１１０ｃｍが好ましい。
横たわり面Ｐの長さは、背の高い人を考慮すると、１９０〜２１０ｃｍが好ましい。
横たわり面Ｐの床からの高さは、横たわり面Ｐに腰を下ろすことなどを考慮すると、２０〜４０ｃｍが好ましい。
天井シート１６Ｇの横たわり面Ｐからの高さは、ズボンのはきかえなどを考慮すると、１６０〜１８０ｃｍが好ましい。
本実施の形態では、横たわり面Ｐの幅、長さを、それぞれ１００ｃｍ、２００ｃｍとしている。
また、横たわり面Ｐの床からの高さを３０ｃｍ、天井シートの横たわり面Ｐからの高さを１７０ｃｍとしている。
【００２３】
本実施の形態の災害時用簡易ベッド１０によれば、横たわり面Ｐ上に横たわることができることは無論のこと、横たわり面Ｐの周囲および上方が目隠し用シート１６Ａ〜１６Ｇで覆われるので、避難所でのプライバシーの保護を図ることができる。
また、場所を取らないため、災害時用簡易ベッド１０は、限られたスペースに多数を設置することが可能となり、避難所で多くの人のプライバシーの保護を図ることができる。
【００２４】
また、フレーム１２は複数のパイプ材から構成され、目隠し用シート１６Ａ〜１６Ｇは折り畳み可能であるため、災害時用簡易ベッド１０は軽量であり、組み立てや撤去も簡単になされる。なお、本実施の形態では、災害時用簡易ベッド１０の重量は約２０ｋｇである。
また、災害時用簡易ベッド１０は、分解状態のパーツを図１４（Ａ）、（Ｂ）に示すような収納袋４４Ａ、４４Ｂに収納することでコンパクトな形状となり、運搬や保管などの取り扱いが簡単になされる。
また、横たわり面Ｐ上で立ち上がることができるため、プライバシーの保護を図りつつ衣服の着替えなども簡単に行なうことが可能となる。
また、目隠し用シート１６Ａ〜１６Ｇと目隠し用フレーム２０とを使わず、フレーム本体１８に横たわり用シート１４を掛装して横たわり面Ｐを形成すると、簡易ベッドとしても使用でき、臨時の医療用ベッドしても使用可能となる。
また、横たわり面Ｐがフレーム本体１８の上部に設けられているので、横たわり面Ｐに腰を下ろすこともでき、また、横たわり面Ｐの下方に荷物を収容することもでき、避難所での生活の利便性を向上する上で有利となる。
また、パイプ継手Ｊ１〜Ｊ６やクリップ４２を利用しねじなどの固定具を用いずに災害時用簡易ベッド１０が構成されているので、災害時用簡易ベッド１０の組み立て、分解をドライバーなどの工具を用いることなくワンタッチで行なえ、組み立てや撤去を短時間で効率良く行なう上で有利となる。
【符号の説明】
【００２５】
１０  災害時用簡易ベッド
１２  フレーム
１４  横たわり用シート
１６Ａ〜１６Ｆ  側面用目隠しシート（目隠し用シート）
１６Ｇ  天井シート（目隠し用シート）
１８  フレーム本体
１８Ａ  第１上枠
２０  目隠し用フレーム
２０Ａ  第２上枠
２２  下部支柱
２４  長辺用下部横管
２６  短辺用下部横管
２８  下部中間フレーム
Ｊ１〜Ｊ６  パイプ継手
３２  上部支柱
３４  長辺用上部横管
３６  短辺用上部横管
３８  ロープ
４０  テンション調整機能付きフック
４２  クリップ
４４Ａ、４４Ｂ  収納袋
【図１】
0003206852.tif 000003
【図２】
0003206852.tif 000004
【図３】
0003206852.tif 000005
【図４】
0003206852.tif 000006
【図５】
0003206852.tif 000007
【図６】
0003206852.tif 000008
【図７】
0003206852.tif 000009
【図８】
0003206852.tif 000010
【図９】
0003206852.tif 000011
【図１０】
0003206852.tif 000012
【図１１】
0003206852.tif 000013
【図１２】
0003206852.tif 000014
【図１３】
0003206852.tif 000015
【図１４】
0003206852.tif 000016